(57)【特許請求の範囲】
【請求項１】
２つの収納庫本体を並べたとき外部に開口するように収納庫本体の外壁面に設けられた凹部と、２つの収納庫本体を並べたとき両収納庫本体の凹部間を連結可能な連結具とを備え、前記凹部内に２つの取付部を備え、前記連結具は連結時にその両端が２つの収納庫本体の凹部内の一方の取付部にそれぞれ取り付け可能であるとともに、非連結時にその両端が一方の収納庫本体の凹部内の２つの取付部にそれぞれ取り付け可能であることを特徴とする収納庫。
【請求項２】
２つの収納庫本体を並べたとき外部に開口するように収納庫本体の外壁面に設けられた凹部と、２つの収納庫本体を並べたとき両収納庫本体の凹部間を連結可能な連結具とを備え、前記連結具は連結時にその両端が２つの収納庫本体の凹部内にそれぞれ取り付け可能であるとともに、非連結時にその中央部で２つ折りにして一方の収納庫本体の凹部内に収容可能であることを特徴とする収納庫。
【請求項３】
前記連結具は、２つの収納庫本体を並べたとき、該連結具の一端を一方の凹部から引き出して他方の凹部内に取り付けできるように前記凹部内にスライド変位可能に取り付けられていることを特徴とする請求項１記載の収納庫。
【請求項４】
前記凹部に前記連結具による連結時及び非連結時に該凹部の開口部を覆うことができるキャップを着脱可能に取り付けたことを特徴とする請求項１又は２記載の収納庫。
【請求項５】
前記凹部は、２つの収納庫本体を並べたとき互いに重なり合う外壁面に開口する第１の開口部と、２つの収納庫本体を並べたとき互いに隣接する外壁面に開口する第２の開口部とを有し、前記キャップは、前記凹部の第１及び第２の開口部をそれぞれ塞ぐことができる一対の翼片と、両翼片を屈曲自在に連結する連結部とを有し、両翼片はさらに２つの収納庫本体を並べたとき両凹部の第２の開口部をそれぞれ塞ぐことができるように形成されていることを特徴とする請求項４記載の収納庫。
【請求項６】
前記凹部は、２つの収納庫本体を並べたとき互いに重なり合う外壁面に開口する第１の開口部と、２つの収納庫本体を並べたとき互いに隣接する外壁面に開口する第２の開口部とを有し、前記キャップは、前記凹部の第１及び第２の開口部をそれぞれ塞ぐことができる一対の翼片を有し、両翼片が分離されて収納庫本体に対し個別に着脱可能に取り付けられていることを特徴とする請求項４記載の収納庫。
【発明の詳細な説明】
【０００１】
【発明の属する技術分野】
本発明は収納庫に関し、更に詳しくは、２つの収納庫を横に並べて互いに連結することができる収納庫の構造に関する。
【０００２】
【従来の技術】
従来、収納庫本体の側板や背面板にハーフパンチ加工を施してなる収納庫が知られている。この種の収納庫を横に並べて連結する場合、予めハーフパンチ加工部分を打ち抜いて穴を開け、２つの収納庫本体を左右に或いは背中合わせに並べた状態で、両収納庫本体の穴に通したねじにナットを締め込んで両収納庫の側板同士或いは背面板同士を締結するようにしている。
【０００３】
一方、収納庫本体の天板の左右端や後端にねじ穴を有する凹部を形成してなる収納庫も知られている。この種の収納庫においては、２つの収納庫を横に並べた状態で、連結板の両端を両凹部内にねじ止めすることにより、連結板を介して２つの収納庫を連結することができる。また、連結板を凹部内に取り付けるので、収納庫本体の上に別の収納庫本体を積み重ねたとき連結板が邪魔な突起物となることを防止できる。
【０００４】
【発明が解決しようとする課題】
上述した従来の収納庫連結構造の場合、収納庫を連結しないで用いるときは、連結に必要なねじや連結板等を別途保管場所に保管しておく必要があり、その管理が面倒なものとなる。また、収納庫本体の穴に通したねじにナットを締め込んで両収納庫の側板同士或いは背面板同士を締結する方法の場合、その作業を収納庫本体内で行う必要があるため、作業がやりづらい。また、収納庫本体内に収容されている収容物を移動させたり、収納庫本体の外に運び出す必要が生じることもあり、作業が面倒になることもある。
【０００５】
また、ハーフパンチ穴を利用する連結構造の場合、一旦ハーフパンチ穴を開けてしまうと後に連結が必要なくなったときに、収納庫の外壁に穴が残り見苦しいものとなる。一方、収納庫の天板に凹部を形成した従来の収納庫においては、凹部を用いて収納庫を連結するときも連結しないときも凹部の内部が外部に露出しているため、美観が損なわれる原因となる。
【０００６】
したがって、本発明の第１の目的は、収納庫本体同士の連結や解除を収納庫本体の外部から容易に行うことができるとともに、収納庫本体同士の連結に用いる連結具を非連結時に容易に保管管理できる収納庫を提供することにある。
【０００７】
また、本発明の第２の目的は、凹部を用いて収納庫本体同士を連結するときも連結しないときも凹部の内部が外部に露出することを防止し美観を保つことができる収納庫を提供することにある。
【０００８】
【課題を解決するための手段】
上記第１の目的を達成するために、第１の発明は、２つの収納庫本体を並べたとき外部に開口するように収納庫本体の外壁面に設けられた凹部と、２つの収納庫本体を並べたとき両収納庫本体の凹部間を連結可能な連結具とを備え、前記凹部内に２つの取付部を備え、前記連結具は連結時にその両端が２つの収納庫本体の凹部内の一方の取付部にそれぞれ取り付け可能であるとともに、非連結時にその両端が一方の収納庫本体の凹部内の２つの取付部にそれぞれ取り付け可能であることを特徴とする収納庫を提供する。
【０００９】
上記構成を有する収納庫においては、２つの収納庫本体を並べたとき外部に開口するように収納庫本体の外壁面に凹部が設けられているので、２つの収納庫本体を並べて両収納庫本体の凹部間を連結具により連結したり該連結を解除したりするとき、その作業を収納庫本体の外部で容易に行うことができる。しかも、前記凹部内に２つの取付部を備えており、前記連結具は連結時にその両端が２つの収納庫本体の凹部内の一方の取付部にそれぞれ取り付け可能であるとともに、非連結時にその両端が一方の収納庫本体の凹部内の２つの取付部にそれぞれ取り付け可能である。したがって、非連結時に連結具の両端を一方の収納庫本体の凹部内の２つの取付部に取り付けて保管しておくことができる。また、連結時には連結具の一端を一方の収納庫本体の凹部内の取付部に取り付けたまま他端を他方の収納庫本体の凹部内の取付部に取り付けることができるので、容易に連結を行うことができる。さらに、各凹部内に１つの連結具を収容しておくことにより、連結時には２つの連結具を用いて２つの収納庫本体の凹部間を強固に連結することができる。このようにして、連結具は、非連結時に一方の収納庫本体の凹部内に収容可能であるので、連結具を非連結時に容易に保管管理することができる。
【００１０】
【００１１】
また上記第１の目的を達成するために、第２の発明は、２つの収納庫本体を並べたとき外部に開口するように収納庫本体の外壁面に設けられた凹部と、２つの収納庫本体を並べたとき両収納庫本体の凹部間を連結可能な連結具とを備え、前記連結具は連結時にその両端が２つの収納庫本体の凹部内にそれぞれ取り付け可能であるとともに、非連結時にその中央部で２つ折りにして一方の収納庫本体の凹部内に収容可能であることを特徴とする収納庫を提供する。係る構成によれば、非連結時に連結具を２つ折り状態にして一方の収納庫本体の凹部内に保管しておくことができる。また、連結時には連結具を２つ折り状態から開き一端を一方の収納庫本体の凹部内の取付部に取り付けたまま他端を他方の収納庫本体の凹部内の取付部に取り付けることができるので、容易に連結を行うことができる。
【００１２】
【００１３】
また、第３の発明は、上記第１の発明の構成において、前記連結具は、２つの収納庫本体を並べたとき、該連結具の一端を一方の凹部から引き出して他方の凹部内に取り付けできるように前記凹部内にスライド変位可能に取り付けられることを特徴とする。係る構成によれば、２つの収納庫本体を並べたとき連結具の一端を一方の凹部から引き出して他方の凹部内に取り付けることにより、２つの収納庫本体を容易に連結できるとともに、連結具の一端を他方の凹部内から取り外し一方の凹部内に引き込ませることにより、容易に連結を解除し一方の凹部内に収容して保管することができる。
【００１４】
また、上記第２の目的を達成するために、第４の発明は、上記第１又は第２の発明の構成において、前記連結具よる連結時及び非連結時に該凹部の開口部を覆うことができるキャップを前記凹部に着脱可能に取り付けたことを特徴とする収納庫を提供する。
【００１５】
上記構成を有する収納庫においては、連結具よる連結時及び非連結時に該凹部の開口部を覆うことができるキャップを前記凹部に着脱可能に取り付けているので、連結具を用いて２つの収納庫本体の凹部間を連結するときも連結しないときも両凹部の開口部をキャップで覆うことができるので、収納庫の美観を保つことができる。
【００１６】
上記第４の発明の構成において、好ましくは、前記凹部は、２つの収納庫本体を並べたとき互いに重なり合う外壁面に開口する第１の開口部と、２つの収納庫本体を並べたとき互いに隣接する外壁面に開口する第２の開口部とを有し、前記キャップは、前記凹部の第１及び第２の開口部をそれぞれ塞ぐことができる一対の翼片と、両翼片を屈曲自在に連結する連結部とを有し、両翼片はさらに２つの収納庫本体を並べたとき両凹部の第２の開口部をそれぞれ塞ぐことができるように形成される。係る構成によれば、非連結時にキャップの両翼片で１つの凹部の第１及び第２の開口部を塞ぐことができ、また、２つの収納庫本体を並べて連結するときは、キャップの両翼片により両凹部の第２開口部を塞ぐことができる。したがって、非連結時に使用できるキャップを連結時にも用いることができるので、収納庫本体の連結及び連結解除等の作業を容易に行うことができる。
【００１７】
また第４の発明の構成において、好ましくは、前記凹部は、２つの収納庫本体を並べたとき互いに重なり合う外壁面に開口する第１の開口部と、２つの収納庫本体を並べたとき互いに隣接する外壁面に開口する第２の開口部とを有し、前記キャップは、前記凹部の第１及び第２の開口部をそれぞれ塞ぐことができる一対の翼片を有し、両翼片が分離されて収納庫本体に対し個別に着脱可能に取り付けられる。係る構成によれば、凹部の第１の開口部を覆う翼片と第２の開口部を塞ぐ翼片とが分離しており、収納庫本体に対し個別に着脱可能であるので、２つの収納庫本体を連結するときは、両凹部に装着されている２つのキャップの一方の翼片を切り離し、他方の翼片を両凹部の第２の開口部にそれぞれ再装着することができる。したがって、収納庫本体の非連結時においてもまた連結時においてもキャップにより凹部や連結板が外部に露出することを防止でき、見栄えの良い外観を確保することができる。
【００１８】
【発明の実施の形態】
以下、図面を参照して本発明の好ましい実施形態を説明する。
【００１９】
【実施例】
図１から図５までは本発明の一実施例を示したものであり、図１は収納庫の斜視図、図２は収納庫本体の一部破断要部縦断面正面図、図３（ａ）、（ｂ）は収納庫本体の連結手順を示す斜視図、図４は２つの収納庫本体を連結した状態を示す要部縦断面正面図、図５は収納庫本体の凹部に設けられるねじ穴と連結具との関係を示す平面図である。
【００２０】
はじめに図１及び図２を参照すると、収納庫はベース１とその上に設置された収納庫本体２とを有する。収納庫本体２は前面２ａ、左右の側面２ｂ、２ｃ、上面２ｄ及び背面２ｅを有する。ここでは収納庫本体２の前面開口部に開閉扉３，４を備えているが、前面２ａを開放したものであってもよい。
【００２１】
本発明によれば、収納庫本体２の前面２ａを除く２つの外壁面間のコーナー部に凹部５が設けられる。この実施例では、左側面２ｂと上面２ｄとの間のコーナー部、右側面２ｃと上面２ｄとの間のコーナー部、及び背面２ｅと上面２ｄとの間のコーナー部にそれぞれ両面に開口する凹部５が設けられている。
【００２２】
図３（ｂ）、図４に示すように、２つの収納庫本体２，２は連結板６，６とねじ８とからなる連結具により連結可能となっている。図２に示すように、連結板６，６両端部は両凹部５，５内にそれぞれ取り付け可能に形成されている。各凹部５にはその底部に固定して設けられたナット部材７により、取付部としてのねじ穴７ａが形成されている。また、図５に示すように、この実施例では、凹部５に２つのねじ穴７ａが設けられており、連結板６の両端にはそれぞれねじ挿通孔６ａ、６ｂが設けられている。そして、凹部５内の２つのねじ穴７ａ、７ａ間の間隔寸法ｄ１は、２つの収納庫本体を隣接させたときの２つの凹部５，５間のねじ穴７ａ、７ａ間の間隔寸法ｄ２と等しくなるように設定されている。また、連結板６の２つのねじ挿通孔６ａ、６ｂ間の間隔もねじ穴７ａ、７ａ間の間隔寸法ｄ１，ｄ２と等しくなるように設定されている。
【００２３】
したがって、連結板６は、図３（ａ）に示すように、２つのねじ８，８により、凹部５内の２つのねじ穴７ａ、７ａにねじ止めして保管することができ、また、２つの収納庫本体を並べたときは、２つの凹部５，５間で両凹部５，５のねじ穴７ａ、７ａにねじ止めすることができる、これにより、連結板６を介して２つの収納庫本体２，２を後部５，５間で連結することができる。
【００２４】
さらに、この実施例では、凹部５における一方の外壁面（例えば左側面２ｂ）側の開口部（第１の開口部）５ａと他方の外壁面（例えば上面２ｄ）側の開口部（第２の開口部）５ｂとが実質上同一形状寸法とされる。そして、凹部５には両開口部５ａ、５ｂを塞ぐ一対の翼片９ａ、９ｂと両翼片９ａ、９ｂを屈曲自在に連結する連結部９ｃとを有するキャップ９が着脱可能に装着される。このキャップ９は好ましくは適度の弾性を有する合成樹脂からなる。凹部５の内側面には係合溝５ｃが形成されており、キャップ９の翼片９ａ、９ｂには係合溝５ｃに嵌まる突起９ｅを有する係合爪９ｄが設けられている。キャップ９の翼片９ａ、９ｂを凹部５の開口部５ａ、５ｂに装着したとき、係合爪９ｄの弾性により突起９ｅが係合溝５ａに嵌まることにより、キャップ９が凹部５の開口部５ａ、５ｂに安定保持できるものとなっている。
【００２５】
キャップ９は、収納庫本体２の非連結時には、図２及び図３（ａ）に示すように、略直角に折り曲げられて凹部５の２つの開口部５ａ、５ｂに装着することができる。また、２つの収納庫本体２の連結時には、図３（ｂ）及び図４に示すように、キャップ９の両翼片９ａ、９ｂを開いて両凹部５，５の開口部５ｂ、５ｂに装着することができる。
【００２６】
上記実施例の構成によれば、２つの収納庫本体２，２を並べて連結するときは、両収納庫本体２，２の凹部５，５からそれぞれキャップ９、９を取り外し、両凹部５，５内のねじ穴７ａ、７ａに連結板６の両端をねじ８，８で取り付けることにより、この連結板６を介して２つの収納庫本体２，２を連結することができる。そして、連結板６を凹部５のねじ穴７ａに取り付ける作業や連結板６を取り外し解体する作業は収納庫本体２の外部のみで行うことができるので、収納庫本体２内の収納物を移動させたり収納庫本体２の外部に取り出したりする必要がない。したがって、効率よく容易に連結、解体作業を行うことができる。
【００２７】
また、上記実施例においては、キャップ９は収納庫本体２の非連結時には凹部５の２つの開口部５ａ、５ｂに装着することができ、また２つの収納庫本体２，２の連結時には２つの凹部５，５の開口部５ｂ、５ｂに装着することができるので、収納庫本体２，２の連結時及び非連結時のいずれにおいても、キャップ９により凹部５や連結板６が外部に露出することを防止でき、見栄えの良い外観を確保することができる。
【００２８】
また、上記実施例の構成によれば、収納庫本体２の非連結時に凹部５内に連結板６をねじ止めして収容しておくことができるので、収納庫本体２の連結作業をすぐに開始することができる。また、凹所５内に２つのねじ穴７ａ、７ａがあるので収納庫本体２を２つの連結板６、６で強固に連結することができる。
【００２９】
なお、図５の例では、連結板６に２つのねじ挿通孔６ａ、６ｂが形成されているが、図６に示すように、連結板６にはねじ挿通孔に代えて連結板６の周縁に開口する溝穴６ｃを形成してもよい。
【００３０】
また、連結板６は、図７に示すように、連結部６ｆを介して折り畳み可能に連結された２つの翼片６ｄ、６ｅを有したものであってもよい。この場合、両翼片６ｄ、６ｅにそれぞれねじ挿通孔６ａ、６ｂ若しくは溝穴が形成される。両翼片６ｄ、６ｅにそれぞれねじ挿通孔６ａ、６ｂ若しくは溝穴は、２つの収納庫本体２，２を隣接させたときの両凹部５、５のねじ穴７ａ、７ａ間の間隔寸法と等しい間隔を有するように設定される。このような構成の連結板６を用いるときは、２つの収納庫本体２，２を連結する連結板６を、非連結時には２つ折りにして一方の凹部５に収容することができる。
【００３１】
図８（ａ）、（ｂ）は連結具に変更を加えた参考例を示したものである。この参考例においては、凹部５内に２つの収納庫本体２，２を並べたとき互いに対向する突出部１０が設けられており、連結具１１は、２つの収納庫本体２，２を並べたとき両凹部５，５内の突出部１０，１０を締結可能に形成されている。他の構成は上記実施例と同様である。なお、この参考例では連結具１１は両突出部１０，１０を挟み込むクランプ状をなしているが、連結具１１は例えば両突出部１０，１０を貫通するねじとナットにより構成してもよい。
【００３２】
したがって、この参考例の構成によれば、２つの収納庫本体２，２を並べたとき両凹部５，５内の突出部１０，１０を連結具１１により締結することができるとともに、非連結時にはこの連結具１１を一方の凹部５内に収容して保管することができる。
【００３３】
図９は連結具にさらに変更を加えた本発明の他の実施例を示したものである。この実施例の連結具１２は、２つの収納庫本体２，２を並べたとき該連結具１２の一端を一方の凹部５から引き出して他方の凹部５内にねじ１３で取り付けることができるように、凹部５内にスライド変位可能に取り付けられている。このとき、連結具１２の他端部側は別のねじ１４で一方の凹部５内に締め付け固定できるものとなっている。係る構成によれば、２つの収納庫本体２，２を並べたとき連結具１２の一端を一方の凹部５から引き出して他方の凹部５内に取り付けることにより、２つの収納庫本体２，２を容易に連結できるとともに、連結具１２の一端を他方の凹部５内から取り外し一方の凹部５内に引き込ませることにより、容易に連結を解除し一方の凹部５内に収容して保管することができる。また、連結具１２の一端を他方の凹部５内から取り外したとき、該一端を止めるねじ１３は該他方の凹部５内のねじ穴に止めて保存しておくことができる。さらに、図９に示すように、２つの凹部５，５に各々１つの連結具１２を設けておくことにより、連結時に２つの連結具１２，１２を用いて凹部５，５間を強固に連結することができる。
【００３４】
図１０（ａ）、（ｂ）はキャップに変更を加えた本発明の他の実施例を示すものである。同図において上記実施例と同様の構成要素には同一の参照符号が付してある。この実施例は、キャップ９が凹部５の一方の開口部５ａを塞ぐ翼片９ａと他方の開口部５ｂを塞ぐ翼片９ｂとを有し、両翼片９ａ、９ｂは分離しており、凹部５の一方の開口部５ａと他方の開口部５ｂとに対しそれぞれ個別に着脱可能に取り付けられている。他の構成は上記実施例と同様である。
【００３５】
したがって、この実施例においては、非連結時にはキャップ９の両翼片９ａ、９ｂにより凹部５の両開口部５ａ、５ｂを塞ぐことができ、また、２つの収納庫本体２、２を連結するときは、キャップ９の翼片９ａ、９ｂを分離させて両凹部５，５の開口部５ｂ、５ｂにキャップ９の一方の翼片９ｂをそれぞれ再装着することができる。したがって、収納庫本体２の非連結時においてもまた連結時においてもキャップ９により凹部５や連結板５が外部に露出することを防止でき、見栄えの良い外観を確保することができる。
【００３６】
以上、図示実施例に付き説明したが、本発明は上記実施例の態様のみに限定されるものではなく、特許請求の範囲に記載した発明の範囲内でその構成要素に種々の変更を加えることができる。例えば、凹部５は左右の側面と背面との間のコーナー部に設けてもよい。また、コーナー部に複数個（例えば２個）の凹部を設けてもよい。また、凹部は２つの収納庫本体を並べたとき、互いに離間して配置されるものであってもよく、その場合、両凹部間を貫く連結具を用いることにより２つの収納庫本体を凹部間で連結することが可能であり、また、連結及び解除を収納庫本体の外部で行うことができる。さらに、キャップが２つの翼片９ａ、９ｂを連結する連結部９ｃを有する実施形態においては、連結部としてヒンジピンを用いてもよい。
【００３７】
【発明の効果】
以上の説明から明らかなように、本発明によれば、収納庫本体同士の連結や解除を収納庫本体の外部から容易に行うことができるとともに、収納庫本体同士の連結に用いる連結具を非連結時に容易に保管管理できる収納庫を提供することができる。
【００３８】
また、本発明によれば、凹部を用いて収納庫本体同士を連結するときも連結しないときも凹部の内部が外部に露出することを防止し美観を保つことができる収納庫を提供することができる。
【図面の簡単な説明】
【図１】  本発明の一実施例を示す収納庫の斜視図である。
【図２】  図１に示す収納庫本体の一部破断要部縦断面正面図である。
【図３】  （ａ）、（ｂ）はそれぞれ図１に示す収納庫本体の連結手順を示す斜視図である。
【図４】  図１に示す２つの収納庫本体を連結した状態を示す要部縦断面正面図である。
【図５】  図１に示す収納庫本体の凹部に設けられるねじ穴と連結具の構成例を示す平面図である。
【図６】  収納庫本体の凹部に設けられるねじ穴と連結具のさらに他の構成例を示す平面図である。
【図７】  収納庫本体の凹部に設けられる連結具のさらに他の構成例を示す斜視図である。
【図８】  （ａ），（ｂ）はそれぞれ収納庫本体の凹部に設けられる連結具の参考例及びその使用例を示す縦断面図である。
【図９】  収納庫本体の凹部に設けられる連結具のさらに他の構成例を示す斜視図である。
【図１０】  （ａ）、（ｂ）はそれぞれ収納庫本体の凹部に設けられるキャップの他の構成例及び使用例を示す斜視図である。
【符号の説明】
２  収納庫本体
２ｂ、２ｃ  側面
２ｄ  上面
５  凹部
５ａ、５ｂ  開口部
６  連結板（連結具）
７  ナット部材
７ａ  ねじ穴
８  ねじ
９  キャップ
９ａ、９ｂ  翼片
９ｃ  連結部
【図１】
0003724783.tif 000002
【図２】
0003724783.tif 000003
【図３】
0003724783.tif 000004
【図４】
0003724783.tif 000005
【図５】
0003724783.tif 000006
【図６】
0003724783.tif 000007
【図７】
0003724783.tif 000008
【図８】
0003724783.tif 000009
【図９】
0003724783.tif 000010
【図１０】
0003724783.tif 000011